(57)【特許請求の範囲】
【請求項１】
電磁誘導充電アダプタ部品であって、
ハウジングと、
前記ハウジング内に格納され、外部の１次コイルと電磁誘導的に結合できるように構成された、導電性材料を含む伝導体コイルと、
デバイスの電池に電力及び充電電流を供給するための第１の対の伝導体を含み、前記伝導体コイルに結合され、前記電磁誘導充電アダプタ部品を前記デバイスに備えられたポートと結合するように構成され、前記ハウジングに支持されているコネクタと、
前記伝導体コイルと結合した回路と、
一対のブラシと、
一対の伝導性レールであって、前記コネクタが上を移動するように構成され、前記伝導性レールのそれぞれが、前記一対のブラシの対応するブラシを介して前記回路に接続されている、一対の伝導性レールと、を備え、
前記回路が、整流器と、入力電圧を定圧充電電圧に変換する電圧変換器と、を含み、
前記ハウジング内の前記伝導体コイルが前記外部の１次コイルから所定の距離内にあるように、前記コネクタが調整されている、
電磁誘導充電アダプタ部品。
【請求項２】
前記コネクタ内に少なくとも第２の伝導体を更に備え、前記第２の伝導体が、前記電磁誘導充電アダプタ部品と前記デバイスとの間でデータを転送するように構成されている、請求項１に記載の部品。
【請求項３】
前記ハウジング上の前記コネクタの位置が調整可能である、請求項１に記載の部品。
【請求項４】
前記調整可能なコネクタを動かすためのチャネルを前記ハウジングに更に備える、請求項２に記載の部品。
【請求項５】
前記コネクタが、前記ハウジング上の点を中心に回転するように構成されている、請求項１に記載の部品。
【請求項６】
前記コネクタがユニバーサルシリアルバス（ＵＳＢ）プラグを備える、請求項１に記載の部品。
【請求項７】
前記ＵＳＢプラグが、ミニＵＳＢプラグ及びマイクロＵＳＢプラグのうちの一方である、請求項６に記載の部品。
【請求項８】
前記コネクタが、前記ハウジングに取り外し可能に取り付けられている、請求項１に記載の部品。
【請求項９】
前記コネクタが、第１のタイプ及び第２のタイプのうちの一方であり、前記ハウジングが、第１のタイプのコネクタ及び第２のタイプのコネクタの両方を支持するように構成されている、請求項８に記載の部品。
【請求項１０】
前記コイルが、平面コイル及びスプールコイルのうちの一方である、請求項１に記載の部品。
【請求項１１】
前記所定の距離が約１インチ未満である、請求項１に記載の部品。
【発明の詳細な説明】
【背景技術】
【０００１】
携帯電話、ハンドヘルドコンピュータ、及びポータブルオーディオ／ビデオプレーヤーのような今日の携帯用電子機器は一般に電池によって駆動される。このようなデバイスに電力を供給するために、充電池が使用されることが多い。充電池は、様々な電源から、例えばＡＣ／ＤＣの充電器を用いて交流電源から、若しくは車の中では、例えばシガレットライターアダプタ（ＣＬＡ）に接続したＤＣ／ＤＣ充電器、又はポータブル充電器を使用して充電することができる。近年、携帯機器類の充電池を充電するための誘導充電器が開発されてきた。そのような電磁誘導充電器の例としては、Ｓｐｌａｓｈｐｏｗｅｒ（商標）、ｅＣｏｕｐｌｅｄ（商標）、Ｐｏｗｅｒｍａｔ（商標）、ＷｉＰｏｗｅｒ（商標）、及びＰｏｗｅｒｂｙＰｒｏｘｉ（商標）などのシステムがある。
【０００２】
電磁誘導充電システムは（１つ以上の１次又は送電コイルを有する）充電パッドを使用し、充電されるデバイスは、このパッドの上に配置される。充電されるデバイスは、受電電磁誘電コイルが装着された、そのデバイス専用のケースのようなカスタムメードの受電器が装着される。そのようなデバイス特定のシステムは、相手先ブランド製造業者（ＯＥＭ）からの承認が通常必要とされる。カスタムメードの受電機が装着されていないデバイスは、パッドの上に置かれた外部受電ユニットと電線でつなぐことができる。しかし、そのようなアプローチでは電磁誘導充電の利点を最小限にしてしまう。
【発明の概要】
【課題を解決するための手段】
【０００３】
本発明の態様によると、電磁誘導充電アダプタ部品は、ハウジングと、ハウジング内に格納され、外部の１次コイルと電磁誘電的に結合されるように構成された、導電性材料を含むコイルと、デバイスの電池に電力及び充電電流を供給するための第１の対の伝導体を含み、コイルに結合され、電磁誘導充電アダプタ部品をデバイスに備えられたポートと結合するように構成され、ハウジングに支持されているコネクタと、を含む。
【０００４】
本発明の更なる態様によると、電磁誘導データ転送システムは、ハウジングと、ハウジング内に配設されたコイルを含む受電モジュールと、を含む。受電モジュールは、ハウジングに支持されコイルに結合されたコネクタを更に含み、そのコネクタは、受電モジュールとデバイスに提供されるポートとを結合するように構成され、そのコネクタは、デバイスの電池に充電電流を供給するための第１の対の伝導体と、受電モジュールとデバイスとの間でデータを転送するように構成されている、少なくとも第２の伝導体と、を含む。このシステムは、１次コイルと１次コイルと結合されたポートとを含む送電モジュールを更に含み、そのポートは、外部電源から電流を受け取るための第３の誘電体と、外部データソースからデータを受け取るための第４の誘電体と、を含み、１次コイルからハウジング内のコイルへの電磁誘電的電力転送から充電電流が供給され、データ転送は、１次コイルとハウジング内のコイルとの間の電磁誘電的データ転送によってもたらされる。
【０００５】
本発明の更なる態様によると、電磁誘導データ転送デバイスは、１次コイルと１次コイルに結合する第１のポートとを格納するパッドを含み、その第１のポートは、外部電源から電流を受け取る誘電体を含み、１次コイルと結合した外部データソースからデータを受け取るデータ転送ポートを含む。
【図面の簡単な説明】
【０００６】
【図１】電磁誘導充電システムの図式的平面図。
【図２】充電アタッチメントの斜視図。
【図３Ａ】充電アタッチメントの透視図。
【図３Ｂ】充電アタッチメントの側面図。
【図４】典型的な充電アタッチメントの部品を示す基本ブロック図。
【図５Ａ】充電アタッチメント用の典型的なコイル構造の図。
【図５Ｂ】充電アタッチメント用の典型的なコイル構造の図。
【図６】充電アタッチメントの例の斜視図。
【発明を実施するための形態】
【０００７】
図１を参照すると、電磁誘導充電システム１０が示されている。システム１０は、充電パッド１４上に置かれるデバイス１２を収容する。デバイス１２の電池は、充電アタッチメント１６を用いて、充電パッド１４を通じて充電される。一般に、充電アタッチメント１６は、デバイス１２に設けられるポート（番号なし）を介してデバイス１２と接続されるデバイスである。例えば、充電アタッチメント１６は、マイクロＵＳＢポートやミニＵＳＢポートなどのユニバーサルシリアルバス（ＵＳＢ）ポートを用いてデバイス１２と接続することができる。いくつかの実施では、これらに限定されないが、ＵＳＢ−Ａ、ＵＳＢ−Ｂ、ＦｉｒｅＷｉｒｅ（ＩＥＥＥ  １３９４）、ＤＣ  Ｐｏｗｅｒ  Ｊａｃｋｓ、及びＭｏｔｏｒｏｌａ、Ａｐｐｌｅ、Ｓａｍｓｕｎｇ等が使用するものなどの独自のコネクタを含むその他のポートを用いて充電アタッチメント１６をデバイス１２に接続することができる。充電アタッチメント１６には、アタッチメント１６が接続されるポートに基づいて好適なコネクタが設けられる。
【０００８】
充電アタッチメント１６が接続されるデバイス１２上のポートは、デバイス１２に電力を供給し、かつデバイス１２を駆動する１つ以上の充電池を充電するように構成される。ポート１６と１つ以上の充電池との間の回路は、充電制御ができる。いくつかの実施においては、充電回路は、充電池が埋め込まれている及び／又は充電池に結合されている。場合によっては、充電回路は、充電パッド１４から充電アタッチメント１６を通して充電入力を受け入れるように構成できる。いくつかの実施においては、充電アタッチメント１６は、アダプタが差し込まれる前に、デバイスと同じ入力コネクタを提供する「パス・スルー」オプションで構成することができる。このオプションは、データの交換を可能にしたり、例えば車のシガレットライターアダプタ／充電器（ＣＬＡ）のような外部充電アタッチメントを接続するのに有用である。
【０００９】
いくつかの実施においては、充電回路は、例えば円筒型電池、角柱型電池、ボタンセル電池などの異なったタイプの充電池及びバッテリーパックの充電電流を監視するように構成された充電コントローラ回路を含むことができる。充電回路は、更に過充電防止や温度監視のような機能を提供するように構成されることができる。
【００１０】
充電パッド１４は、外部電源（例えば壁コンセントや携帯電源）からポート２０を介して電力を受け取り、充電アタッチメント１６を介して充電池に電磁誘電的に電力を転送する。充電パッド１４は、携帯物であってもよいし、より大きなユニットに埋め込まれた構成要素であってもよい。例えば、幾つかの実施では、充電パッドは、テーブルのような家具の一部であり得る。その様な場合においては、デバイス１２は、単に家具の一部分に置くことによって充電することができる。
【００１１】
いくつかの実施においては、充電パッド１４は、電磁誘導充電システムにおいて１次コイルとして機能する１つ以上のコイル１８を含むことができる。図１に描かれているコイル１８は、通常、充電パッド本体の内部に収容されていることに注意されたい。一般に、コイル１８は、充電パッド１４の上面の下に埋め込まれている。コイル１８は、充電パッドに接続された電源よって電力供給され、電力は電磁誘電的に１次コイル１８と充電アタッチメント１６内の２次コイルとの間の結合を介して充電アタッチメント１６に転送される。充電パッド１４は、１つ以上のコイル１８を含むことができる。例えば、充電パッド１４は、充電アタッチメント１６内の受電コイルが充電パッド上のどこに置いてもコイル１８と結合することができるように、１つの大きなコイル含むことができる。いくつかの実施においては、複数のコイル１８を充電パッド１４内に分配することができる。一般に、コイル１８は電磁コイルであり、例えば平面コイル（例えばプリント回路又はフレックス回路）、スプールコイル又はソレノイドが挙げられる。一般に、コイル１８は、誘電体、例えば電線又は高周波数交流を運ぶのに使用される複数芯のリッツ線を、磁性体又は非磁性体（例えば空気）の芯の周囲に巻いて形成される。電流がコイル１８の巻線を通過すると、発生する磁界がコイル１８の中心からその長手軸方向に沿って延び、ループ又はコイルの外側を廻って戻ってくる。各ループ又は巻線を廻る磁界は、他のループからの磁界と組み合わされて、コイル１８の中心に集中した磁界を作り出す。コイルの磁界の強度は、導入された電流、コイルのループ又は巻線の数、並びにコイル１８に関わるその他のパラメータ及び特性を制御することによって制御することができる。一般に、充電アタッチメント１６内の受電コイルに電圧を誘起するために、コイル１８に誘導された磁束は（例えば交流を用いることで）変動される。
【００１２】
単に充電パッド１４上に置くだけで、デバイス１２が充電される。いくつかの実施では、デバイス１２は、受電コイルと充電パッド１４のコイル１８とを効果的に結合するために、特定の配向又は位置に置かれる。例としては、デバイス１２は、取り付けられた充電アタッチメント１６内の受電コイルがコイル１８から、例えば約２．５４ｃｍ（１インチ）未満に近接するように充電パッド１４の上に置かれ得る。いくつかの実施では、（各々に別々の充電アタッチメント１６が付けられている）複数のデバイス１２を充電パッド１４の上に同時に置くことができる。
【００１３】
充電アタッチメント１６を用いて充電される１つ以上の充電池は、１つ以上の充電式電気化学ユニット又はセルの組み合わせであることができる。充電池内に複数のセルがある場合、それらのセルは直列又は並列で互いに接続することができる。一般に、電池（又はセル）は以下を含むことができる：ｉ）アノード又は陰極−還元又は燃料電極−それは電子を外部回路に与え、電気化学的反応中に酸化される、ｉｉ）カソード又は陽極−酸化電極−それは外部回路から電子を受け取り、電気化学的反応中に還元される、及びｉｉｉ）電解質−イオン伝導体−セルの内部でイオンとしての、アノードとカソードとの間の電荷を転送するための媒介を提供する。電解質は、典型的に液体、例えば、イオン伝導性を付与する塩類、酸類又はアルカリ類の溶解した水又は溶媒である。いくつかの実施においては、電池は、セルの実用温度にてイオン伝導体である固体又は気体の電解質を含むことができる。いくつかの実施においては、充電池は、グラファイトアノード材料又はチタン酸リチウムアノード材料、及びリチオ化リン酸鉄カソード材料を持つリチウムイオンセルを含むことができ、これらの材料は、これらの材料に基づく充電池の高速充電を可能にするように適合されている。一般に、電池は電気エネルギーの貯蔵デバイスであり、「ストレージバッテリー」又は「アキュミュレータ」としても知られる。
【００１４】
デバイス１２は、充電池を用いるいかなる電子又は電気機器であってもよい。例えば、デバイス１２は、以下に限定されることなく、携帯電話若しくはスマートフォン、ＧＰＳ装置、電気髭剃り機、電動歯ブラシ、携帯端末（ＰＤＡ）、デジタルカメラ、画像ビューワ、オーディオ機器、ラップトップコンピュータ、又はｉＰｏｄ（登録商標）などのマルチメディア機器を含むことができる。
【００１５】
図２を参照すると、充電アタッチメント１６とデバイス１２との例示的な接続が示されている。この例の場合、充電アタッチメント１６は、マイクロＵＳＢポート（図示せず）を介してデバイス１２にデバイス１２の側面で接続されている。図２の例では、充電アタッチメント１６の高さｈは、デバイス１２の深さｄと実質的に同じ程度に描かれてはいるが、これによって制限されるものではない。充電アタッチメント１６の寸法は、一般に、デバイス１２とは独立したものであり得る。実際に、同一の充電アタッチメント１６を、適切な接続ポートを持つ（場合により異なった寸法の）複数のデバイス１２に使用することができる。
【００１６】
ここで図３Ａを参照すると、例示的な充電アタッチメント１６の斜視図を概略図が示している。簡単な概要として、充電アタッチメント１６は、ハウジング３０と、ハウジング内の回路とデバイスのポートとを結合するように構成されたコネクタ３１と、を含む。ハウジング３０は、内部の回路を収容できるならば、どのような形及び大きさでもよい。この例では、ハウジング３０は半円筒形であるように示されている。いくつかの実施においては、ハウジング３０は、例えば円筒形、立方形、平面、又は矩形の立体など、他の形状を有してもよい。
【００１７】
場合によっては、ハウジング３０は、デバイス１２の裏面に貼り付けることのできる薄いパッチ又はステッカーである。この薄いパッチ若しくはステッカーは、デバイス１２上のポート（例えば、ミニ又はマイクロＵＳＢ）に取り付けるための適切なコネクタ３１を装備している。一般に、本体３０は、充電パッド１４のコイル１８と本体３０に収容された受電コイルとの間で効率的な磁気的結合ができるように、充分な磁気透過率を有する。例えば、本体３０は、プラスティック、ＰＣＢＡ、テフロン等の非導電性又は非磁性材料で作ることができる。
【００１８】
コネクタ３１は、充電アタッチメント１６が接続されるデバイス１２のポートに従って提供される。例えば、充電アタッチメント１６がデバイス１２のマイクロＵＳＢポートに接続される場合、コネクタ３１は、それに適したマイクロＵＳＢプラグである。いくつかの実施においては、充電アタッチメント１６に、デバイス１２の充電ポートによって取り替えられる複数の交換可能コネクタ（例えば、マイクロＵＳＢ、ミニＵＳＢ、ＤＣ  Ｊａｃｋ等）が設けられてもよい。一般に、コネクタ３１は、充電アタッチメント１６と充電アタッチメントが取り付けられるデバイス１２との間で１つ以上の接続を提供する。いくつかの実施においては、コネクタ３１の１つ以上の接続は、充電及びデータ転送などの複数の機能を（時としては並行して）可能にする。このような複数の機能性は、デバイス１２を充電中に（ＵＳＢポートを介して等）データの転送を可能にすることができる。このような場合、充電パッド１４上にデータ入力ポート（例えばＵＳＢポート）が提供され、データを充電アタッチメント１６を介して電磁誘導的に、時には充電と同時に、デバイス１２に転送することができる。いくつかの実施においては、このような並行したデータと電力の転送は、例えば電力シグナルを変調させることで、又はデータを電力シグナルとは異なった周波数で伝送することで達成することができる。例えば、電力転送は１００ｋＨｚ〜５００ｋＨｚの範囲で操作し、データ伝達は無線周波数の範囲、すなわち１０ＭＨｚ〜１０ＧＨｚの範囲で行うことができる。いくつかの実施においては、伝達が可能になったデバイス１２を電磁誘電的に充電中に、データソース、例えば計算装置又はメモリ機器を充電パッドに接続することができる。いくつかの実施においては、充電パッド１４は、デバイス１２に転送するデータを少なくとも一時的に保存するためのメモリを含むことができる。
【００１９】
一般に、コネクタ３１は対称形ではなく、デバイス１２に取り付けられた時の充電アタッチメント１６の向きはデバイス１０２の対応するポートの向きに依存し得る。例えば、ミニＵＳＢ（若しくはマイクロＵＳＢ）ポートは、一般にその上部と下部とで幅が異なり、デバイスに設けられる際に上向きであったり下向きであったりすることができる。そのような場合、ハウジング３０のデバイス１２に対する向きは、ポートの方向に依存する。しかしながら、いくつかの場合においては、ハウジング３０の一部分（例えば受電コイルに近い側）が充電パッド１４に近いほうが好ましい場合がある。いくつかの実施においては、これは、充電アタッチメント１６を対称に及び／又はリバーシブルに構成して、アタッチメント１６の片端がデバイス１２上のポートの向きにかかわらず充電パッド１４に近くなるようにすることによって達成することができる。充電アタッチメント１６は、例えばコネクタ３１が望ましい方向に回転するように機械的に可能にすることによって、リバーシブルにすることができる。
【００２０】
いくつかの実施においては、充電アタッチメント１６上のコネクタ３１の位置は、調節可能にすることができる。例えば、コネクタ３１は、チャネル３２に沿って上下に動くように構成できる。このような配置は、ハウジングの一部を好適に位置決めすることを可能にする。例えば、コネクタ３１は、ハウジング３０の底部が、充電パッド１４に接しているデバイス１２の表面と整列するように、位置決めすることができる。コネクタ３１は、ハウジング３０のコイル側が充電パッド１４にできる限り近くなるように位置決めすることもできる。いくつかの実施においては、コネクタ３１を移動させるためのチャネル３２は、コネクタ３１を回転させたり、逆転させたり、取り替えたりする機能と共に設けられることができる。
【００２１】
いくつかの実施においては、充電アタッチメント１６は、コネクタ３１とハウジング３０との間に開口部３３を含む。開口部３３は、コネクタ３１をチャネル３２に沿って回転及び／又は移動させたりした場合に、コネクタ３１とハウジング３０内の回路との間で電線が貫通したり移動したりできるようにする。いくつかの実施においては、充電アタッチメント１６は、ミニＵＳＢ及びマイクロＵＳＢコネクタの裏側に取り付けられたプリント基板（ＰＣＢ）を含む。このような場合、ＰＣＢは、受電回路（整流器、電圧変換器等）を支持し、ブラシを介して２つの縦向きの導電性電源レールに接続されている。このようにして、コネクタ／ＰＣＢアセンブリは、上下に滑動して電力アダプタをデバイス側面の最適の位置に調整することができる。いくつかの実施においては、充電アタッチメント１６は、コネクタ３１がチャネル３２に沿って移動する際に電線を格納し誘導するワイヤーガイド３４を更に含む。いくつかの実施においては、コネクタ３１は、回転したり逆転したりするだけでなく、チャネル３２に沿って移動することができる。
【００２２】
更に図３Ｂを参照すると、概略図は、例示的な充電アタッチメント１６の（コネクタ側から見て）横向きの図を示す。ワイヤーガイド３４は、この図では隠されており、点線を用いて示されている。いくつかの実施においては、コネクタ３１をハウジング３０内の回路と接続させる電線３５は、開口部３３を貫通する。いくつかの実施においては、電線３５は、母線の形態にまとめられていてもよい。
【００２３】
図４を参照すると、基本ブロック図は、例示的充電アタッチメント１６の内部構造を示す。簡単な概要としては、充電アタッチメント１６は、コイル４０と回路４１とを含む。コイル４０は、１つ以上の、図１を参照して説明される１つ以上の１次コイル１８と結合する受電コイルである。
【００２４】
いくつかの実施においては、コイル４０は、図５Ａに示されているように平面コイルである。平面コイルの場合、電線の回転又は巻きは本質的に同一平面上であり、コイルの高さは、コイルの直径と比較して非常に小さい。他の実施においては、コイル４０は、図５Ｂに示されているようなスプールコイルである。スプールコイルの場合、コイル４０は、透磁率μで特徴づけることができる磁性体又は非磁性体（例えばフェライト）の（半径ｒの）芯の周りに巻きつけられている。一般に、スプールコイルの軸は、長さｌと平行であり、表面１４に対して垂直である。いくつかの実施においては、コイルの長さｌは、典型的な携帯機器（例えば携帯電話又はスマートフォン）の厚さよりもわずかに短い。一般に、充電アタッチメント１０６が取り付けられているデバイスが、充電パッド１０４などの表面のような平坦な表面に置かれた場合に、スプールコイルは縦方向に向く。
【００２５】
充電アタッチメント１６は、コイル４０に電磁誘導された電流を受け取り、かつそれをコネクタ３１を通してデバイス及び充電池に供給する、回路４１も含む。回路４１は、例えば、整流器４５及び電圧調整器４８を含むことができる。いくつかの実施においては、整流器４５は、回路４１に入る交流（ＡＣ又はＲＦ）入力を直流（ＤＣ）に変換するように構成されている。整流器４５からの直流出力は、次いでＤＣ／ＤＣ電圧調整器４８に供給することができる。整流器４５は、半波整流器又は全波整流器でもよく、ダイオード、レジスタ及びコンデンサなどの部品を含むことができる。
【００２６】
電圧調整器４８は、ある範囲の入力電圧を整流器４５から受け入れ、望ましい充電電圧を提供することができる。一般に、電圧調整器４８は、安定化した出力電圧を提供するＤＣ／ＤＣ変換器である。例えば、いくつかの実施においては、電圧調整器４８は、５ＶのＵＳＢ出力を提供することができる。いくつかの実施においては、電圧調整器４８は、昇圧電圧レベル、降圧電圧レベル、又はほぼ同じレベルの安定化した電圧を供給することができる。電圧調整器４８の出力の電流レベルは、充電パッド１４及び充電アタッチメント１６のそれぞれシステムデザイン及びコイル間の電磁誘導的リンクの品質など、様々な要因によって変化し得る。例えば、５Ｖの出力電圧を生成する場合、電流（それは充電電流でもある）は、０．１Ａ〜１．５Ａで変化し得る。いくつかの実施においては、電圧調整器４８は、ＵＳＢ仕様書の要件を満たすように、一定電流調整回路又は電流制限回路を含むことができる。
【００２７】
回路４１はまた、充電パッド１４から電磁誘導的に受け取ったデータを伝送するための部品など、その他の部品を含むことができる。いくつかの実施においては、データは、電力シグナルから復調されてもよいし、異なる周波数にて別個のコイルで受け取ってもよい。いくつかの実施においては、復調されたデジタルデータは、ＵＳＢ  Ｄ＋及びＤ−シグナルに変換され、マイクロＵＳＢコネクタの対応するピンに供給される。特定のデバイスが充電コネクタを介して望ましい速度で電荷を受け入れることができるように、例えば特定の２つのピンの間の所定の値のレジスタのような、追加のレジスタ及び分圧器を回路４１に含むことができる。
【００２８】
いくつかの実施においては、充電アタッチメント１６を取り外すことなくデバイスのＵＳＢポートにアクセスすることができる「パス・スルー」オプションを実施することができる。例えば、電磁誘導充電器がないとき（例えば車の中）、ＵＳＢポートがその他の接続のために必要になることもあり得る。いくつかの実施においては、追加の雌コネクタ（例えば雌マイクロＵＳＢ又はミニＵＳＢコネクタ）を、その雌コネクタが充電アタッチメント１６のコネクタ３１と結合するように充電アタッチメント１６の裏側に取り付けてもよい。
【００２９】
図６は、充電アタッチメント６０の例の斜視図を示す。デバイスに接続されているとき、コイル４０は一般に下を向いているが、それは、このような向きがコイルを電磁誘導充電パッドに最も近づけるようにするためである。充電アタッチメント６０が様々な厚さの多様なデバイスに適合できるように、コネクタ３１は、チャネル３２に沿って滑動できる。いくつかの実施においては、充電アタッチメント６０は、充電アタッチメント６０に接続する別のコネクタ（図示せず）のレセプタクルとして機能することができるウィンドウ６２も有することができる。コネクタ３１は、そのような接続を受け入れるために後側に雌ポートを設けることができる。このような場合、コネクタ３１は、雌ポートがウィンドウ６２と整列するような位置にチャネル３２に沿って移動でき、それによって充電アタッチメント６０が「パス・スルー」ポートとして機能するようにできる。このような場合、デバイスのポートを、充電アタッチメントをポートから取り外すことなく使用することができる。いくつかの実施においては、ポート変換を充電アタッチメント６０に更に実施することができる。例えば、コネクタ３１の裏側に提供される雌ポートがマイクロＵＳＢポートであることができる一方、コネクタ３１自体はミニＵＳＢコネクタである。このような場合、充電アタッチメント６０は、第１のタイプのポートを第２のタイプのコネクタにマッピングする回路を含む。
【００３０】
その他の実施形態は、以下の請求項の範囲内にある。
【図１】
0005612209.tif 000002
【図２】
0005612209.tif 000003
【図３Ａ】
0005612209.tif 000004
【図３Ｂ】
0005612209.tif 000005
【図４】
0005612209.tif 000006
【図５Ａ】
0005612209.tif 000007
【図５Ｂ】
0005612209.tif 000008
【図６】
0005612209.tif 000009